(57)【特許請求の範囲】
【請求項１】
第１リフレクタと、
第２リフレクタと、
前記第１リフレクタと前記第２リフレクタとの間に配置された少なくとも一つの光源と、
を備え、
前記第２リフレクタの端部から前記少なくとも一つの光源との間隔が、前記光源の上部方向に第１距離だけ離隔しており、
前記第１距離は下記式で表現され、
0005455084.tif 000006
（ここで、ｄ１は、前記第１距離を示し、ｘ１は、前記光源の側部方向に、前記少なくとも一つの光源と前記第２リフレクタの端部とが離隔した距離を示し、θ１は、前記第２リフレクタの、前記光源の側部方向への傾斜角度である。）
前記光源から前記光源の側部方向に遠ざかるほど、前記第２リフレクタの端部から前記少なくとも一つの光源との前記上部方向への間隔である前記第１距離は変わる、バックライト。
【請求項２】
前記第２リフレクタは、正反射領域及び乱反射領域を有し、前記第１距離は、前記正反射領域の周辺に形成されている、請求項１に記載のバックライトユニット。
【請求項３】
前記各光源の間の周辺領域で、前記少なくとも一つの光源の上部方向に、前記第２リフレクタの端部は、前記少なくとも一つの光源と前記第１距離より小さい第３距離だけ離隔している、請求項１又は２のいずれかに記載のバックライトユニット。
【請求項４】
前記第２リフレクタを支持する支持部をさらに備え、前記支持部で前記少なくとも一つの光源方向へ端面は傾斜している、請求項１ないし３のいずれかに記載のバックライトユニット。
【請求項５】
前記第１距離は、前記第１リフレクタと重畳される領域に配置されている、請求項１に記載のバックライトユニット。
【請求項６】
前記光源から前記側部方向に遠ざかるほど前記第１距離は漸減する、請求項１ないし５のいずれかに記載のバックライトユニット。
【請求項７】
前記第１距離は０．１mm至１．２mmである、請求項１又は５若しくは６に記載のバックライトユニット。
【請求項８】
前記第１リフレクタの端部は、前記少なくとも一つの光源と、前記光源の上部方向に第２距離だけ離隔している、請求項１ないし５のいずれかに記載のバックライトユニット。
【請求項９】
前記第１距離と前記第２距離は互いに異なる、請求項８に記載のバックライトユニット。
【請求項１０】
前記第２距離は下記数学式で表現される、請求項８又は９に記載のバックライトユニット。
0005455084.tif 000007
（ここで、ｄ２は、前記第２距離を示し、ｘ２は、前記少なくとも一つの光源の側部方向に、前記少なくとも一つの光源と前記第１リフレクタの上面とが離隔した距離を示し、
θ２は、前記第１リフレクタから前記光源の側部方向への傾斜角度である。）
【請求項１１】
前記θ２は５°乃至１５°である、請求項１０に記載のバックライトユニット。
【請求項１２】
前記θ１は５°乃至１５°である、請求項１に記載のバックライトユニット。
【請求項１３】
前記第１リフレクタは、前記光源の側部方向に突出した面を有する、請求項１に記載のバックライトユニット。
【請求項１４】
前記突出した面は、半球形、三角形、四角形、多角形のうち少なくともいずれか一つである、請求項１３に記載のバックライトユニット。
【請求項１５】
前記第３距離は、’０’である、請求項３に記載のバックライトユニット。
【請求項１６】
ディスプレイパネルと、
前記ディスプレイパネルに光を照射するバックライトユニットと、を備え、
前記バックライトユニットは、請求項１ないし１５のいずれかに記載のバックライトユニットである、バックライトユニットを用いたディスプレイ装置。
【発明の詳細な説明】
【技術分野】
【０００１】
本発明の実施例は、バックライトユニット及びそれを用いたディスプレイ装置に関する。
【背景技術】
【０００２】
一般に、代表的な大型ディスプレイ装置としては、液晶ディスプレイ装置（ＬＣＤ：Ｌｉｑｕｉｄ  Ｃｒｙｓｔａｌ  Ｄｉｓｐｌａｙ）またはプラズマディスプレイパネル（ＰＤＰ：Ｐｌａｓｍａ  Ｄｉｓｐｌａｙ  Ｐａｎｅｌ）などがある。
【０００３】
自発光方式のＰＤＰとは違って、ＬＣＤは自体発光する発光素子を備えておらず、別途のバックライトユニットが必ず必要である。
【０００４】
ＬＣＤに使用されるバックライトユニットは、光源の位置によって、エッジ（ｅｄｇｅ）方式のバックライトユニットと直下方式のバックライトユニットとに区分される。エッジ方式は、ＬＣＤパネルの左右側面及び／または上下側面に光源を配置し、導光板を用いて光を全面に均一に分散させるので、光の均一性がよく、パネル厚さの超薄型化が可能である。
【０００５】
直下方式は、通常２０インチ以上のディスプレイに用いられる技術で、パネルの下部に光源を複数個配置するので、エッジ方式に比べて光効率に優れるという長所を有し、よって、高輝度を要求する大型ディスプレイに主に用いられる。
【０００６】
既存のエッジ方式や直下方式のバックライトユニットの光源としては、冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）を用いた。しかし、ＣＣＦＬを用いたバックライトユニットは、常にＣＣＦＬに電源が印加されるため、相当量の電力消耗をもたらし、陰極線管（ＣＲＴ：Ｃａｔｈｏｄｅ  Ｒａｙ  Ｔｕｂｅ）に比べて約７０％水準の色再現率を有するだけでなく、水銀の添加による環境汚染問題などを招くことがある。
【０００７】
これを解消するための代替品として、現在、発光ダイオード（ＬＥＤ：Ｌｉｇｈｔ  Ｅｍｉｔｔｉｎｇ  Ｄｉｏｄｅ）を用いたバックライトユニットに対する研究が活発に行われている。
【０００８】
ＬＥＤをバックライトユニットに用いる場合、ＬＥＤアレイの部分的なオン／オフが可能なので、消耗電力を画期的に減少させることができ、ＲＧＢ（Ｒ：Ｒｅｄ、Ｇ：Ｇｒｅｅｎ、Ｂ：Ｂｌｕｅ）ＬＥＤの場合、米国テレビジョン方式委員会（ＮＴＳＣ：Ｎａｔｉｏｎａｌ  Ｔｅｌｅｖｉｓｉｏｎ  Ｓｙｓｔｅｍ  Ｃｏｍｍｉｔｔｅｅ）の色再現範囲仕様の１００％を上回り、より生々しい画質を消費者に提供することができる。
【０００９】
また、半導体工程で製作されるＬＥＤは、環境に無害であるという特徴を有する。
【００１０】
現在、上記のような長所を有するＬＥＤを採用したＬＣＤ製品が発売されているが、既存のＣＣＦＬ光源と駆動メカニズムが相異するため、駆動ドライバー及び印刷回路基板（ＰＣＢ：Ｐｒｉｎｔｅｄ  Ｃｉｒｃｕｉｔ  Ｂｏａｒｄ）などが高価である。したがって、ＬＥＤバックライトユニットは、未だに高価のＬＣＤ製品のみに適用されている。
【発明の概要】
【発明が解決しようとする課題】
【００１１】
本発明の実施例は、光源から発する光の黄白色（ｙｅｌｌｏｗ−ｗｈｉｔｅ）成分を減少させることのできる、バックライトユニット及びそれを用いたディスプレイ装置を提供しようとする。
【課題を解決するための手段】
【００１２】
本発明の一実施例によるバックライトユニットは、第１リフレクタと、第２リフレクタと、前記第１リフレクタと前記第２リフレクタとの間に配置された少なくとも一つの光源とを備え、前記第２リフレクタの端部から前記少なくとも一つの光源との間隔が、前記光源の上部方向に第１距離だけ離隔する。
【００１３】
前記第１距離は、下記式で表現することができる。
【００１４】
0005455084.tif 000002
【００１５】
ここで、ｄ１は、前記第１距離を示し、ｘ１は、前記光源の側部方向に、前記少なくとも一つの光源と前記第２リフレクタの端部とが離隔した距離を示し、θ１は、前記光源の側部方向から前記第２リフレクタの上面との間に形成された傾斜した角度である。前記θ１は、５°乃至１５°であってもよく、前記第１距離は、０．１mm乃至１．２mmであってもよい。
【００１６】
バックライトユニットは、前記第２リフレクタを支持する支持部をさらに備え、前記支持部で前記少なくとも一つの光源方向への端面は傾斜することができる。
【００１７】
前記第１リフレクタは、前記光源の側部方向に突出した面を有する。前記突出した面は、半球形、三角形、四角形、多角形のうち少なくともいずれか一つであってもよい。
【００１８】
前記第１リフレクタの端部は、前記少なくとも一つの光源と、前記光源の上部方向に第２距離だけ離隔することができる。前記第１距離と前記第２距離は異なってもよく、前記第１距離は前記第２距離より大きいか、または同一であってもよい。
【００１９】
例えば、前記第２距離は、下記式で表現することができる。
【００２０】
0005455084.tif 000003
【００２１】
ここで、ｄ２は、前記第２距離を示し、ｘ２は、前記少なくとも一つの光源の側部方向に、前記少なくとも一つの光源と前記第１リフレクタの上面とが離隔した距離を示し、θ２は、前記光源の側部方向から前記第１リフレクタの上面との間に形成された傾斜した角度である。前記θ２は、５°乃至１５°であってもよい。
【００２２】
前記各光源の間の周辺領域で、前記少なくとも一つの光源の上部方向に、前記第２リフレクタの端部は、前記少なくとも一つの光源と、前記第１距離より小さい第３距離だけ離隔することができる。前記第３距離は、‘０’であってもよい。
【００２３】
前記光源から前記光源の側部方向に遠ざかるほど、前記第２リフレクタの端部から前記少なくとも一つの光源との前記上部方向への間隔である前記第１距離は変わることができる。
【００２４】
例えば、前記光源から前記側部方向に遠ざかるほど、前記第１距離は漸減することができる。
【００２５】
前記第２リフレクタは、正反射領域及び乱反射領域を有し、前記第１距離は、前記正反射領域の周辺に形成されることができる。
【００２６】
前記第１距離は、前記第１リフレクタと重畳される領域に配置されることができる。
【図面の簡単な説明】
【００２７】
下記の図面を参照して実施例について詳細に説明する。ただし、図面中、同一のエレメントには同一の参照符号を付する。
【図１】本発明の一実施例に係るバックライトユニットの断面図である。
【図２】他の実施例に係るバックライトユニットの断面図である。
【図３】また他の実施例に係るバックライトユニットの断面図である。
【図４】また他の実施例に係るバックライトユニットの断面図である。
【図５Ａ】本発明の一実施例に係る第２リフレクタの多様な形態を示す２エッジタイプのバックライトユニットの平面図である。
【図５Ｂ】本発明の一実施例に係る第２リフレクタの多様な形態を示す２エッジタイプのバックライトユニットの平面図である。
【図５Ｃ】本発明の一実施例に係る第２リフレクタの多様な形態を示す２エッジタイプのバックライトユニットの平面図である。
【図５Ｄ】本発明の一実施例に係る第２リフレクタの多様な形態を示す２エッジタイプのバックライトユニットの平面図である。
【図５Ｅ】本発明の一実施例に係る第２リフレクタの多様な形態を示す２エッジタイプのバックライトユニットの平面図である。
【図６】本発明の一実施例に係る第２リフレクタの形態を示す４エッジタイプのバックライトユニットの平面図である。
【図７】本発明の一実施例に係る光学部材を有するバックライトユニットを示す図である。
【図８】支持部の下部面に形成された補強リブを示す図である。
【図９】第２リフレクタの上部面に形成された支持ピンを示す図である。
【図１０】本発明の一実施例に係るバックライトユニットを有するディスプレイモジュールを示す図である。
【図１１】本発明の一実施例に係るディスプレイ装置を示す図である。
【図１２】本発明の一実施例に係るディスプレイ装置を示す図である。
【発明を実施するための形態】
【００２８】
以下、各実施例を添付の図面を参照して説明する。
【００２９】
本発明の実施例の説明において、各構成要素の「上」または「下」（ｏｎ  ｏｒ  ｕｎｄｅｒ）に形成されると記載される場合において、「上」または「下」は、二つの構成要素が互いに直接（ｄｉｒｅｃｔｌｙ）接触したり、一つ以上の他の構成要素が前記二つの構成要素の間に配置されて（ｉｎｄｉｒｅｃｔｌｙ）形成されることを全て含む。また、「上」または「下」（ｏｎ  ｏｒ  ｕｎｄｅｒ）と表現される場合、一つの構成要素を基準に上側方向のみならず、下側方向の意味も含むことができる。
【００３０】
図面において、各構成要素の厚さや大きさは、説明の便宜及び明確性のために誇張されたり、省略されたり、又は概略的に図示されており、実際の大きさを全的に反映するものではない。
【００３１】
図１は、本発明の一実施例に係るバックライトユニットの断面図である。
【００３２】
図１に示すように、バックライトユニットは、カバープレート１０（ｃｏｖｅｒ  ｐｌａｔｅ）(または、ｈｅａｔ  ｂａｒ)、少なくとも一つの光源２４を有する光源モジュール２０、第１リフレクタ３０（ｒｅｆｌｅｃｔｏｒ）、第２リフレクタ３２及び支持部３４（または、ボトムカバーまたは、ボトムシャーシ）を備えることができる。
【００３３】
カバープレート１０は、光源モジュール２０を支持したり固定することができる。図示されてはいないが、カバープレート１０は、光源モジュール２０から発生する熱を放出する複数個の放熱突出ラインをさらに備えることができる。また、カバープレート１０に第１リフレクタ３０が付着される。
【００３４】
次に、支持部３４は、第２リフレクタ３２を支持するボトムモールディング部（ｂｏｔｔｏｍ  ｍｏｌｄｉｎｇ  ｐｏｒｔｉｏｎ）であって、射出成形が可能なように、プラスチックなどのような高分子樹脂で作製することができる。
【００３５】
支持部３４は、少なくとも一つの変曲点を有する少なくとも２つの傾斜面を含み、変曲点を中心に隣接する第１及び第２傾斜面の曲率は、互いに同一または異なってもよい。
【００３６】
支持部３４の上面に付着される第２リフレクタ３２も同様に、支持部３４と同じ形状を有することができる。すなわち、第２リフレクタ３２は、少なくとも一つの変曲点を有する少なくとも２つの傾斜面を含み、変曲点を中心に隣接する第１及び第２傾斜面の曲率は、互いに異なってもよい。
【００３７】
一方、光源２４を有する光源モジュール２０は、第１リフレクタ３０と第２リフレクタ３２との間に位置し、第１リフレクタ３０の一側に接触したり、または一定間隔だけ離隔して配置されることができる。例えば、図１に示すように、光源モジュール２０は、第１リフレクタ３０と一定間隔だけ離隔して配置されることができる。
【００３８】
そして、光源モジュール２０は、電極パターンを有する回路基板２２及び光を生成する少なくとも一つの光源２４（または、発光素子）を備えることができる。このとき、回路基板２２は、少なくとも一つの光源２４を実装することができ、電源を供給するアダプタと光源２４とを連結するための電極パターンが形成されていてもよい。
【００３９】
例えば、回路基板２２の上面には、光源２４とアダプタを連結するための炭素ナノチューブ電極パターンを形成することができる。
【００４０】
このような回路基板２２は、ポリエチレンテレフタレート（ＰＥＴ）、ガラス、ポリカーボネート（ＰＣ）またはシリコン（Ｓｉ）などからなり、複数の光源２４が実装されるＰＣＢ（Ｐｒｉｎｔｅｄ  Ｃｉｒｃｕｉｔ  Ｂｏａｒｄ）であってもよく、フィルム状に形成することができる。
【００４１】
また、回路基板２２としては、単層ＰＣＢ、多層ＰＣＢ、セラミック基板、メタルコアＰＣＢなどを選択的に使用することができる。
【００４２】
一方、光源２４として使用される発光素子は、発光ダイオードチップ（ＬＥＤ  ｃｈｉｐ）であってもよく、発光ダイオードチップは、ブルーＬＥＤチップまたは紫外線ＬＥＤチップで構成されたり、またはレッドＬＥＤチップ、グリーンＬＥＤチップ、ブルーＬＥＤチップ、イエローグリーン（ｙｅｌｌｏｗ  ｇｒｅｅｎ）ＬＥＤチップ、白色ＬＥＤチップのうち少なくとも一つまたはそれ以上を組み合わせたパッケージ形態で構成されてもよい。
【００４３】
本実施例によれば、光源２４として白色発光ダイオードを使用することができる。
【００４４】
そして、白色ＬＥＤは、ブルーＬＥＤ上にイエローりん光物質（ｐｈｏｓｐｈｏｒ）を結合したり、ブルーＬＥＤ上にレッドりん光物質とグリーンりん光物質を同時に使用して具現することができ、ブルーＬＥＤ上にイエローりん光物質、レッドりん光物質及びグリーンりん光物質を同時に使用して具現することもできる。
【００４５】
図１に示された光源２４は、構造によって、水平型、垂直型、及びハイブリッド（ｈｙｂｒｉｄ）型に区分されることもできる。
【００４６】
次に、第１リフレクタ３０と第２リフレクタ３２との間の空間にエアガイド（ａｉｒ  ｇｕｉｄｅ）を有するように、第１リフレクタ３０と第２リフレクタ３２は一定間隔だけ離隔して互いに対向することができる。
【００４７】
そして、第１リフレクタ３０は、反射コーティングフィルム及び反射コーティング物質層のうちいずれか一つで形成されて、光源モジュール２０から生成された光を第２リフレクタ３２の方向に反射させる役割を果たすことができる。
【００４８】
第１及び第２リフレクタ３０及び３２は、アルミニウム（Ａｌ）、銀（Ａｇ）、金（Ａｕ）、二酸化チタニウム（ＴｉＯ２）などのように高い反射率を有する金属または金属酸化物を含んで構成されることができる。第１リフレクタ３０及び第２リフレクタ３２の物質は、互いに同一であってもよく、または互いに異なってもよい。また、それらの表面粗さは互いに異なってもよい。
【００４９】
第２リフレクタ３２は、金属または金属酸化物を支持部３４である高分子樹脂フレーム上に蒸着またはコーティングして形成することができ、金属インクを印刷して形成することもできる。ここで、蒸着方法としては、熱蒸着法、蒸発法又はスパッタリング法などの真空蒸着法を使用することができ、コーティングまたは印刷方法としては、プリンティング法、グラビアコーティング法又はシルクスクリーン法を使用することができる。
【００５０】
また、第１リフレクタ３０の表面のうち光源モジュール２０と対向する表面上には、鋸歯状の反射パターンが形成され、反射パターンの表面は平面または曲面であってもよい。第１リフレクタ３０の表面に反射パターンを形成する理由は、光源モジュール２０から生成された光を第２リフレクタ３２の中央領域に反射させることによって、バックライトユニットの中央領域に輝度を増加させるためである。
【００５１】
一方、本実施例によれば、第２リフレクタ３２の端部から少なくとも一つの光源２４との間隔が、第１距離ｄ１だけ離隔している。すなわち、ギャップ（ｇａｐ）を介在して、光源２４の上部方向に、第２リフレクタ３２の端部は光源２４と第１距離ｄ１だけ離隔している。
【００５２】
また、第１距離ｄ１は、第１リフレクタ３０と重畳される領域に配置することができる。
【００５３】
ギャップは、光源２４から生成されて発光する光の黄白色成分が集中する第１領域Ａ１に位置する。したがって、光源２４から発光する光の黄白色成分は、ギャップを通じて漏れることができる。ここで、黄柏色成分が漏れるというのは、黄白色成分が第２リフレクタ３２に向かって反射されないという意味である。
【００５４】
このように、光源２４から生成された光の黄白色成分が漏れることができるギャップを介在し、第２リフレクタ３２の端部と光源２４は、互いに上部方向に第１距離ｄ１だけ離隔しているので、バックライトユニットからオープン領域を通じて出射される光２６の帯黄（ｙｅｌｌｏｗｉｓｈ）現象を改善することができる。
【００５５】
本実施例によれば、第１距離ｄ１は、次の数学式1のように表現することができる。
【００５６】
【数１】
0005455084.tif 000004
【００５７】
ここで、ｘ１は、少なくとも一つの光源２４の側部方向に、光源２４と第２リフレクタ３２の端部とが離隔した距離を示し、θ１は、第２リフレクタ３２の上面の、光源２４の側部方向への傾斜角度である。すなわち、９０−θ１は、第１リフレクタ３０の表面に対して平行な水平面から第２リフレクタ３２が傾斜した角度を意味する。
【００５８】
ここで、側部方向と上部方向との間の角度は、図１に示すように直角であるが、本実施例はこれに限定されない。すなわち、側部方向と上部方向との間の角度は、鈍角または鋭角であってもよい。
【００５９】
また、第２リフレクタ３２の傾斜面は、光源モジュール２０から生成された光、または第１リフレクタ３０から反射された光を、第１リフレクタ３０のオープン領域に反射させる役割を果たすことができる。
【００６０】
本実施例によれば、第１距離ｄ１は、０．１mm乃至１．２mmであってもよい。例えば、第１距離ｄ１は、０．３mmであってもよい。
【００６１】
図２は、他の実施例に係るバックライトユニットの断面図を示す。
【００６２】
図２に示すように、第１リフレクタ３０の端部は、少なくとも一つの光源２４と第２距離ｄ２だけ離隔している。すなわち、第１リフレクタ３０の端部は、第２領域Ａ２を介在して、光源２４の上部方向に、光源２４と第２距離ｄ２だけ離隔し得る。ここで、第２領域Ａ２は、第１領域Ａ１と同様に、光源２４から発光する光の黄白色成分が集中する領域である。これを除いては、図２に示すバックライトユニットは、図１に示したバックライトユニットと同一の構成を有する。
【００６３】
本実施例によれば、第１距離ｄ１は、第２距離ｄ２と同一であっても、または異なってもよい。例えば、第１距離ｄ１は、第２距離ｄ２より大きいか、または小さくてもよい。また、第２距離ｄ２は、次の数学式２のように表現することができる。
【００６４】
【数２】
0005455084.tif 000005
【００６５】
ここで、ｘ２は、光源２４の側部方向に、光源２４と第１リフレクタ３０の上面とが離隔した距離を示し、θ２は、第１リフレクタ３０の上面の、光源２４の側部方向への傾斜角度を示す。
【００６６】
前述した数学式１及び２で、θ１及びθ２のそれぞれは、光源２４から生成された光が出射される角度５°〜１５°であってもよい。例えば、θ１及びθ２のそれぞれは、１０°であってもよい。
【００６７】
もし、光源モジュール２０が第１リフレクタ３０に接触せずに、一定間隔だけ離隔する場合、図２に示すように、第１リフレクタ３０が、第２距離ｄ２だけ光源２４の上部方向に離隔して形成されることによって、バックライトユニットから出射される光２６の帯黄現象がさらに改善されることができる。
【００６８】
しかし、光源モジュール２０の回路基板２２が第１リフレクタ３０と接触するか、または光源２４が第１リフレクタ３０に接触するか、または光源モジュール２０が第１リフレクタ３０と近接して配置される場合、図１に示すように、第１リフレクタ３０が光源２４から第２距離ｄ２だけ離隔せずに形成されることもできる。すなわち、第１リフレクタ３０は、図１のように形成されることもできる。
【００６９】
このとき、図２の部分拡大図５０に示すように、第２リフレクタ３２の端部Ｅは、ラウンド状に（ｒｏｕｎｄ）加工できる。
【００７０】
図３は、また他の実施例に係るバックライトユニットの断面図を示す。
【００７１】
図３に示すように、第１リフレクタ３０は、光源２４の側部方向に突出した面を有することができる。例えば、光源２４から発する光の黄白色成分が集中する第２領域Ａ２で、第１リフレクタ３０は突出した形態の面を有することができる。第１リフレクタ３０の突出した面は、半球形、三角形、四角形、多角形のうち少なくともいずれか一つであってもよく、図３に示すように、半球形であってもよい。
【００７２】
もし、光源モジュール２０が第１リフレクタ３０に接触せずに一定間隔だけ離隔する場合、第１リフレクタ３０が、図３に示すように、突出した面を有することによって、バックライトユニットから出射される光２６の帯黄現象がさらに減少することができる。
【００７３】
しかし、光源モジュール２０が第１リフレクタ３０と接触し、光源２４が第１リフレクタ３０に近接して配置される場合、図１に示すように、第１リフレクタ３０は突出した面を有さなくてもよい。
【００７４】
図４は、また他の実施例に係るバックライトユニットの断面図を示す。
【００７５】
図４に示すように、第２リフレクタ３２を支持する支持部３４で、光源２４の上部方向への端面は、角度θ３だけ傾斜することができる。このように、支持部３４の端面が角度θ３をもって傾斜することによって、光源２４から発光する光の黄白色成分が、ギャップを通じて、より一層漏れることができる。
【００７６】
前述した図１乃至図４に示したバックライトユニットにおいて、第２リフレクタ３２は、正反射領域ＳＲＡ１（Ｓｐｅｃｕｌａｒ  Ｒｅｆｌｅｃｔｉｏｎ  Ａｒｅａ）及び乱反射領域ＳＲＡ２（Ｓｃａｔｔｅｒｅｄ  Ｒｅｆｌｅｃｔｉｏｎ  Ａｒｅａ）を有する。
【００７７】
ここで、正反射領域ＳＲＡ１は、入射される光を正反射する役割を果たし、乱反射領域ＳＲＡ２は、入射される光を乱反射する役割を果たすことができる。このために、第２リフレクタ３２の正反射領域ＳＲＡ１は、光を正反射する正反射シートが形成されることができ、第２リフレクタ３２の乱反射領域ＳＲＡ２は、光を乱反射する乱反射シートが形成されることもできる。正反射領域ＳＲＡ１及び乱反射領域ＳＲＡ２の光の反射率は、約５０乃至９９．９９％であってもよい。そして、正反射領域ＳＲＡ１は、第２リフレクタ３２の全体領域のうち約５乃至５０％を占めることができる。場合によって、第２リフレクタ３２において、正反射領域ＳＲＡ１は、第２リフレクタ３２の全体領域のうち約２０乃至３０％を占めることもできる。また、第２リフレクタ３２において、正反射領域ＳＲＡ１と乱反射領域ＳＲＡ２の面積比率は、１：１〜２０であってもよい。
【００７８】
本実施例によれば、図１乃至図４に示したバックライトユニットにおいて、第１距離ｄ１は、正反射領域ＳＲＡ１の周辺に形成することができる。例えば、ギャップが形成される第１領域Ａ１は、第２リフレクタ３２の正反射領域ＳＲＡ１及び／またはＳＲＡ１の周辺に位置することができる。
【００７９】
図５Ａ乃至図５Ｅは、本発明の一実施例に係る第２リフレクタ３２の多様な形態を示す２エッジタイプ（ｔｗｏ  ｅｄｇｅ  ｔｙｐｅ）のバックライトユニットの平面図を示す。
【００８０】
図５Ａに示すように、第１リフレクタ３０ａ及び３０ｂと第２リフレクタ３２とは互いに対向するように、光源２４ａ及び２４ｂの側部方向に離隔して配置されることができる。そして、回路基板２２ａと光源２４ａからなる光源モジュール２０ａは、第１及び第２リフレクタ３０ａ及び３２の間に配置され、回路基板２２ｂと光源２４ｂからなる光源モジュール２０ｂは、第１及び第２リフレクタ３０ｂ及び３２の間に配置されることができる。
【００８１】
図５Ａに示すように、光源２４から発光する光を近距離で反射させることのできる領域Ａ４（以下、中心領域という）及び各光源２４の間の領域Ａ５（以下、周辺領域という）に関わらず、第２リフレクタ３２は、中心領域及び周辺領域で一定の幅ｗを有することができる。
【００８２】
または、第２リフレクタ３２の端部は、中心領域Ａ４で、光源２４の上部方向に光源２４と第１距離ｄ１だけ離隔する。しかし、第２リフレクタ３２の端部は、周辺領域Ａ５で、光源２４の上部方向に第３距離ｄ３だけ離隔してもよい。もし、第３距離ｄ３が‘０’であれば、第２リフレクタ３２は、図５Ｂまたは図５Ｄに示すような形態を有することができる。または、第３距離ｄ３が‘０’でなければ、第２リフレクタ３２は、図５Ｃまたは図５Ｅに示すような形態を有することもできる。本実施例によれば、第３距離ｄ３は、第１距離ｄ１より小さい。
【００８３】
周辺領域Ａ５よりは中心領域Ａ４で、光源２４から発する光の黄白色成分がさらに多い場合、第２リフレクタ３２の面積を最大限に広くすることが、帯黄現象を減少させながらも、バックライトの輝度を向上させる。このような理由によって、図５Ａに示すように、第２リフレクタ３２の幅ｗを均一にするよりは、図５Ｂまたは図５Ｃに示すように、周辺領域Ａ５では第２リフレクタ３２の幅をより広くする。
【００８４】
このために、他の実施例によれば、光源２４から光源２４の側部方向に遠ざかるほど、第２リフレクタ３２の端部から光源２４ａ、２４ｂとの上部方向への間隔である第１距離ｄ１は変わることができる。たとえば、図５Ｄまたは図５Ｅに示すように、周辺領域Ａ５で境界Ｂに接近するほど、第２リフレクタ３２の端部と光源２４との間の上部方向への間隔は、漸減することができる。すなわち、第１距離ｄ１は減少することができる。
【００８５】
周辺領域Ａ５の内で、光源２４から遠ざかるほど黄白色成分が漸減する場合、図５Ｂまたは図５Ｃに示すように、周辺領域Ａ５で、第２リフレクタ３２の幅を均一にするときより、図５Ｄまたは図５Ｅに示すように、周辺領域Ａ５で、光源２４から遠ざかるほど第１距離ｄ１を漸減させるとき、帯黄現象をさらに改善することができる。
【００８６】
図６は、本発明の一実施例に係る第２リフレクタ３２の形態を示す４エッジタイプ（ｆｏｕｒ  ｅｄｇｅ  ｔｙｐｅ）のバックライトユニットの平面図を示す。
【００８７】
図６に示すような４エッジタイプのバックライトユニットの場合、左及び右エッジと、上及び下エッジの４側面に、それぞれ光源モジュール２０が配置され、各側面で、光源２４の上部方向に、第２リフレクタ３２の端部は光源２４と第１距離ｄ１だけ離隔している。
【００８８】
図示してはいないが、４エッジタイプのバックライトユニットの場合にも、図５Ｂ乃至図５Ｅに示した２エッジタイプのバックライトユニットでのように、周辺領域Ａ５において第２リフレクタ３２は、多様な形態を有することができる。
【００８９】
たとえば、中心領域Ａ４でのみ、第２リフレクタ３２は、光源２４と上部方向に第１距離ｄ１だけ離隔し、周辺領域Ａ５で、第２リフレクタ３２は、光源２４の上部方向に他の距離だけ離隔することができる。すなわち、周辺領域Ａ５で、第２リフレクタ３２の端部は、光源２４の上部方向に光源２４から第３距離ｄ３だけ離隔するように具現されたり、光源２４から遠ざかるほど、第１距離ｄ１が漸減するように、第２リフレクタ３２は具現されることができる。
【００９０】
図７は、本発明の一実施例に係る光学部材（ｏｐｔｉｃａｌ  ｍｅｍｂｅｒ）を有するバックライトユニットを示す図である。
【００９１】
また、本実施例に係るバックライトユニットは、第２リフレクタ３２から一定間隔だけ空間を置いて配置される光学部材３６をさらに有することができ、第２リフレクタ３２と光学部材３６との間の空間にはエアガイドが形成される。
【００９２】
図７に示すように、光学部材３６は、第１リフレクタ３０のオープン領域に配置される。ここで、光学部材３６は、第１リフレクタ３０のオープン領域を通じて出射される光を拡散させるためのもので、少なくとも一つのシートからなり、拡散シート、プリズムシート、輝度強化シートなどを選択的に含むことができる。ここで、拡散シートは、光源２４から出射された光を拡散させ、プリズムシートは、拡散された光を発光領域にガイドし、輝度拡散シートは、輝度を強化させる。
【００９３】
このように、バックライトユニットは、第２リフレクタ３２の端部から光源２４との間隔が第１距離ｄ１だけ離隔するようにすることで、光の黄白色成分が、ギャップを通じて漏れるようにして、帯黄現象を改善させることができる。
【００９４】
一方、光源モジュール２０は、光出射面が、光学部材３６と第２リフレクタ３２との間のエアガイドの方向に向かうように配置された直接出射型（ｄｉｒｅｃｔｅ  ｅｍｉｔｔｉｎｇ  ｔｙｐｅ）構造であってもよい。または、光源モジュール２０は、光出射面が、第１リフレクタ３０、第２リフレクタ３２及びカバープレート１０の方向のうちいずれか一つの方向に向かうように配置される間接出射型構造であってもよい。ここで、間接出射型光源モジュール２０は、出射された光が第１リフレクタ３０、第２リフレクタ３２及びカバープレート１０に反射され、反射された光は、再びバックライトユニットのエアガイドの方向に進行することができる。このように、光源モジュール２０を間接出射型構造で配置する理由は、ホットスポット（ｈｏｔ  ｓｐｏｔ）現象を減少できるためである。
【００９５】
図８は、支持部３４の下部面に形成された補強リブ（ｒｉｂ）を示す図である。
【００９６】
図８に示すように、支持部３４の下部面に多数の補強リブ３８が配置されることができる。
【００９７】
その理由は、支持部３４が曲面を有する反射面を備えており、外部環境条件によって変形するおそれがあるため、これを防止するために補強リブ３８が設置されることができる。
【００９８】
補強リブ３８は、支持部３４の傾斜面と対向する後面だけでなく、支持部３４の側面と対向する後面にも配置されることができる。
【００９９】
図９は、第２リフレクタ３２の上部面に形成された支持ピン４０を示す図である。
【０１００】
図９に示すように、第２リフレクタ３２の上部面に、光学部材３６を支持する支持ピン４０が形成されることもできる。その理由は、光学部材３６が第２リフレクタ３２から離隔し、その間にはエアガイドが形成されるので、光学部材３６の中心領域が下部に垂れるおそれがあるためである。
【０１０１】
ここで、支持ピン４０は、第２リフレクタ３２に接触する下部面の面積が、上部面の面積より広く形成されることが安定的である。
【０１０２】
一方、支持部３４の傾斜面の下部には、光源モジュール２０を駆動させるための回路装置が配置されることができる。支持部３４の後面には、傾斜面の間に所定の空間が形成されるので、該当の空間に回路装置を配置すると、空き空間を效率的に利用することができる。
【０１０３】
図１０は、本発明の一実施例に係るバックライトユニットを有するディスプレイモジュールを示す図である。
【０１０４】
図１０に示すように、ディスプレイモジュール１００は、ディスプレイパネル１１０及びバックライトユニット１２０を備えることができる。
【０１０５】
ディスプレイパネル１１０は、互いに対向して均一なセルギャップを維持するように合着されたカラーフィルタ基板１１２と、ＴＦＴ（Ｔｈｉｎ  Ｆｉｌｍ  Ｔｒａｎｓｉｓｔｏｒ）基板１１４とを備え、当該二つの基板１１２、１１４の間に液晶層（図示せず）を介在することができる。
【０１０６】
そして、ディスプレイパネル１１０の上側及び下側には、それぞれ上部偏光板１１６及び下部偏光板１１８を配置することができ、より詳細には、カラーフィルタ基板１１２の上面に上部偏光板１１６を配置し、ＴＦＴ基板１１４の下面に下部偏光板１１８を配置することができる。
【０１０７】
図示していないが、ディスプレイパネル１１０の側面には、パネル１１０を駆動させるための駆動信号を生成するゲート及びデータ駆動部が備えられてもよい。
【０１０８】
図１１及び図１２は、本発明の一実施例に係るディスプレイ装置を示す図である。
【０１０９】
図１１を参照すると、ディスプレイ装置２００は、ディスプレイモジュール１００と、ディスプレイモジュール１００を取り囲むフロントカバー２１０及びバックカバー２１２と、バックカバー２１２に備えられた駆動部２２０と、駆動部２２０を覆う駆動部カバー２３０と、で構成されることができる。
【０１１０】
フロントカバー２１０は、光を透過させる透明な材質の前面パネル（図示せず）を備えることができ、前面パネルは、一定の間隔を置いてディスプレイモジュール１００を保護し、ディスプレイモジュール１００から放出される光を透過させて、ディスプレイモジュール１００で表示される映像が外部から見えるようにする。
【０１１１】
バックカバー２１２は、フロントカバー２１０と結合してディスプレイモジュール１００を保護することができる。バックカバー２１２の一面には駆動部２２０を配置することができる。駆動部２２０は、駆動制御部２２２、メインボード２２４及び電源供給部２２６を備えることができる。
【０１１２】
駆動制御部２２２は、タイミングコントローラであってもよく、ディスプレイモジュール１００の各ドライバーＩＣの動作タイミングを調節する駆動部であり、メインボード２２４は、タイミングコントローラにＶシンク、Ｈシンク及びＲ、Ｇ、Ｂ解像度信号を伝達する駆動部であり、電源供給部２２６は、ディスプレイモジュール１００に電源を印加する駆動部である。
【０１１３】
駆動部２２０は、バックカバー２１２に備えられ、駆動部カバー２３０によって覆われることができる。
【０１１４】
バックカバー２１２には複数のホールが備えられ、ディスプレイモジュール１００と駆動部２２０を連結することができ、ディスプレイ装置２００を支持するスタンド２４０が備えられることができる。
【０１１５】
一方、図１２に示すように、駆動部２２０の駆動制御部２２２は、バックカバー２１２に備えられ、メインボード２２４と電源ボード２２６はスタンド２４０に備えられることもできる。
【０１１６】
そして、駆動部カバー２３０は、バックカバー２１２に備えられた駆動部２２０のみを覆うことができる。
【０１１７】
本実施例では、メインボード２２４と電源ボード２２６をそれぞれ別途に構成したが、これに限定されず、一つの統合ボードで構成することもできる。
【０１１８】
結局、前述した実施例によれば、光源から発する光の黄白色成分が漏れるギャップを設けることによって、バックライトユニットから出射される光の帯黄現象を改善することができる。
【０１１９】
以上では、本発明の実施例を中心に説明したが、これは単なる例示で、本発明を限定するものではなく、本発明の属する分野における通常の知識を有する者であれば、本発明の実施例の本質的な特性を逸脱しない範囲で、以上に例示していない種々の変形及び応用が可能であるということが理解されるだろう。例えば、実施例に具体的に示された各構成要素を変形して実施することができる。そして、このような変形及び応用に関する差異点は、添付の特許請求の範囲で規定する本発明の技術的範囲に含まれるものとして解釈すべきである。
【図１】
0005455084.tif 000008
【図２】
0005455084.tif 000009
【図３】
0005455084.tif 000010
【図４】
0005455084.tif 000011
【図５Ａ】
0005455084.tif 000012
【図５Ｂ】
0005455084.tif 000013
【図５Ｃ】
0005455084.tif 000014
【図５Ｄ】
0005455084.tif 000015
【図５Ｅ】
0005455084.tif 000016
【図６】
0005455084.tif 000017
【図７】
0005455084.tif 000018
【図８】
0005455084.tif 000019
【図９】
0005455084.tif 000020
【図１０】
0005455084.tif 000021
【図１１】
0005455084.tif 000022
【図１２】
0005455084.tif 000023